(57)【要約】      （修正有）【課題】組立作業の作業能率を向上させると同時に、釘やネジの打ち損じによる組立不良率を低減させるタコ箱を提供する。【解決手段】角筒状の箱胴部を形成する箱胴部板が、箱胴部の隣接する２面の横板部６ａと縦板部６ｂを形成する一対のＬ型アングル板７、７からなり、両Ｌ型アングル板７、７の端部８、９同士を釘又はネジで接合して箱胴部が組み立てられると共に、その接合側端部８、９に、該端部同士を嵌合させて両Ｌ型アングル板７、７を合体させる嵌合凸部１１と嵌合凹部１２が形成されている。【選択図】図１
0003175203.tif 000002
【実用新案登録請求の範囲】
【請求項１】
タコの入口を設けた箱前面板と、延縄の枝ロープに取り付けるためのロープ孔を設けた箱後面板と、角筒状の箱胴部を形成する箱胴部板とが、プラスチックで成形され、これらが釘又はネジで接合して組み立てられる型式のタコ箱において、前記箱胴部板が、前記箱胴部の隣接する２面を形成する一対のＬ型アングル板からなり、当該両Ｌ型アングル板の端部同士を釘又はネジで接合して前記箱胴部が組み立てられると共に、その接合側端部に、該端部同士を嵌合させて両Ｌ型アングル板を合体させる嵌合凸部と嵌合凹部が形成されていることを特徴とするタコ箱。
【請求項２】
前記嵌合凸部が、前記Ｌ型アングル板の一方の接合側端部に沿ってその内側面に形成された山形凸条からなり、前記嵌合凹部が、前記Ｌ型アングル板の他方の接合側端部に沿ってその端面に形成されたＶ字溝からなる請求項１記載のタコ箱。
【請求項３】
前記Ｌ型アングル板の内側面に、前記箱胴部の開口端に嵌め付けられる前記箱前面板と前記箱後面板を定位置に係止する位置決め用突起が形成されている請求項１又は２記載のタコ箱。
【請求項４】
前記箱後面板が、四角形の角を落した角落し形状に成形されて、前記箱胴部の四隅との間に水抜き孔となる空隙が形成される請求項１、２又は３記載のタコ箱。
【考案の詳細な説明】
【技術分野】
【０００１】
本考案は、主に大型種のミズダコや中型種のヤナギダコなどの底延縄漁に使用されるタコ箱に関する。
【背景技術】
【０００２】
タコ箱を使用したミズタコの底延縄漁（タコ箱漁）の仕掛けは、図５に示すように、両端に目印となる旗付きブイ５１、５１を取り付けて海中に投入する延縄の幹ロープ５２に、該ロープ５２を海底に這わす錘となる沈子５３、５３が取り付けられると共に、４０〜５０本乃至それ以上の本数の枝ロープ５４、５４…が約１０ｍ程度の間隔で結び付けられ、それら枝ロープ５４の先端に、Ｗ３００〜３５０ｍｍ×Ｈ１９０〜２３０ｍｍ×Ｄ４００〜５００ｍｍ程度のサイズを有するタコ箱５５が取り付けられるものが一般的である。
【０００３】
タコ箱の種類は、木板を釘やネジで接合して木箱に組み立てる木製のものと、箱全体が硬質ゴムで一体成形されたゴム製のものと、プラスチック製のものとがあるが、木製のタコ箱（木箱）は、海水が抜けやすく、扱いやすいという長所がある反面、潮流が速くて海底の起伏が激しい海域で使用すると、壊れやすくて、耐久性に欠けるという短所があり、また、ゴム製のタコ箱は、その重量が著しく嵩むため、底延縄漁の仕掛けを海中に投入する投縄作業や投入した仕掛けを回収する揚縄作業を行う作業者の労力の負担が大きいと同時に、水深１００〜２００ｍの海底から仕掛けを巻き上げる延縄巻き上げ機に掛かる負荷も大きいなどの短所があることから、現在は、軽量で壊れにくいプラスチック製のタコ箱が主流となっている。
【０００４】
プラスチック製のタコ箱としては、例えば図６（ａ）に示すように、箱全体が一体成形された型式のものや（特許文献１）、同図（ｂ）の如く、箱の上半体６１ａと下半体６１ｂとを個別に成形して双方をボルト・ナットで接合して組み立てる型式のものがあるが（特許文献２及び３）、前者は、嵩高いために、これを保管する広いスペースが必要となり、倉庫代等の保管コストが嵩むと同時に、輸送効率が悪く、輸送コストも著しく嵩むという短所がある。一方、後者は、タコ箱を上半体６１ａと下半体６１ｂとに半割りした状態で保管・輸送することができるが、その半割り部分である上半体６１ａと下半体６１ｂの形状は、嵩減らし効果が低い凹底容器形となっているため、保管コストや輸送コストを大幅に低減することはできず、また、上半体６１ａと下半体６１ｂをボルト・ナットで接合するために設けられたフランジ部６２ａ、６２ｂが、タコ箱の外周面に沿って突出しているため、潮流や水圧の抵抗が大きなって、延縄巻き上げ機の負荷が増大するなどの短所がある。
【０００５】
以上のような事情から、最近は、木板を釘やネジで接合して木箱に組み立てる木製のタコ箱と同じように、プラスチック板を釘やネジで接合して箱に組み立てる型式のタコ箱が急速に普及している。
【０００６】
この型式のタコ箱は、タコの入口を設けた箱前面板と、延縄の枝ロープに取り付けるためのロープ孔を設けた箱後面板と、角筒状の箱胴部を形成する箱胴部板とが各々個別にプラスチックで成形されているから、これら各板を重ねた状態で保管し、消費地へ輸送して、消費地で完成品に組み立てることにより、保管コストと輸送コストを大幅に低減することができると同時に、各板の成形コストも、図６（ｂ）の如き凹底容器形の上半体６１ａと下半体６１ｂを成形するコストに比べて大幅に低減されるから、安価なプラスチック製のタコ箱を提供することができるという長所がある。
【０００７】
しかしながら、タコ箱の構成部材である箱前面板、箱後面板及び箱胴部板を釘やネジで接合して完成品に組み立てる作業は、かなりの熟練を要し、非熟練者がこれを行うと、作業能率が著しく悪いうえ、接合する板の端部に釘・ネジを打ち込む際に、その板が不如意にずれ動いて、歪な箱形状に組み立てられたり、板厚内に打ち込むべき釘・ネジを打ち損ねて、その釘・ネジの一部又は全部が板厚からはみ出した状態となるなどの組立不良を生ずることが多い。特に、箱胴部板の端部同士を釘・ネジで接合して角筒状の箱胴部を組み立てる際に、箱胴部板がずれ動いて釘・ネジの打ち損ねを生ずる頻度が高い。
【０００８】
そして、釘・ネジの打ち損ねによる脆弱な接合箇所があるタコ箱を使用すると、揚縄の際に、その脆弱な接合箇所が、タコ箱に入ったタコと海水の重みで破壊されて、タコ箱全体が崩壊するおそれがある。特に、世界最大種のミズダコは、通常サイズの成体で約１０〜１５ｋｇもの重量があるから、ミズダコの底延縄漁に使用するタコ箱は、釘・ネジの打ち損ねによって崩壊する危険性が高い。
【先行技術文献】
【特許文献】
【０００９】
【特許文献１】意匠登録第１１７２８８９号公報
【特許文献２】意匠登録第１２２０７６９号公報
【特許文献３】特開２００５−２７５２８号公報
【考案の概要】
【考案が解決しようとする課題】
【００１０】
本考案は、プラスチックで成形された箱前面板、箱後面板及び箱胴部板を釘やネジで接合して完成品に組み立てる型式のタコ箱に関して、その組立作業の作業能率を向上させると同時に、釘やネジの打ち損じによる組立不良率を低減させてタコ箱の信頼性を向上させることを技術的課題としている。
【課題を解決するための手段】
【００１１】
上記課題を解決するために、本考案は、タコの入口を設けた箱前面板と、延縄の枝ロープに取り付けるためのロープ孔を設けた箱後面板と、角筒状の箱胴部を形成する箱胴部板とが、プラスチックで成形され、これらが釘又はネジで接合して組み立てられる型式のタコ箱において、前記箱胴部板が、前記箱胴部の隣接する２面を形成する一対のＬ型アングル板からなり、当該両Ｌ型アングル板の端部同士を釘又はネジで接合して前記箱胴部が組み立てられると共に、その接合側端部に、該端部同士を嵌合させて両Ｌ型アングル板を合体させる嵌合凸部と嵌合凹部が形成されていることを特徴とする。
【考案の効果】
【００１２】
本考案によるタコ箱は、角筒状の箱胴部の隣接する２面を形成する一対のＬ型アングル板の端部同士を釘やネジで接合する前に、両Ｌ型アングル板の接合側端部に形成されている嵌合凸部と嵌合凹部によりその端部同士を嵌合させて、両Ｌ型アングル板を合体させることにより、角筒状の箱胴部が形成されると同時に、両Ｌ型アングル板の接合側端部がずれ動くことが阻止されて、箱胴部の角筒状態が保持される。
【００１３】
したがって、両Ｌ型アングル板の接合側端部に釘やネジを打ち込む作業を迅速且つ容易に行うことができるから、タコ箱の組立作業の作業能率が著しく向上すると同時に、釘やネジの打ち損じによる組立不良の発生率が著しく低減する。
【図面の簡単な説明】
【００１４】
【図１】本考案の実施例に係るタコ箱の構成部材を示す斜視図
【図２】本考案の実施例に係るタコ箱の箱胴部板となるＬ型アングル板の拡大図
【図３】本考案の実施例に係るタコ箱の正面側の斜視図
【図４】本考案の実施例に係るタコ箱の背面側の斜視図
【図５】タコ箱を用いたミズダコの底延縄漁の仕掛けを示す図
【図６】従来のプラスチック製のタコ箱を示す斜視図
【考案を実施するための形態】
【００１５】
本考案の実施形態は、タコの入口を設けた箱前面板と、延縄の枝ロープに取り付けるためのロープ孔を設けた箱後面板と、角筒状の箱胴部を形成する箱胴部板とが、プラスチックで成形され、これらが釘又はネジで接合して組み立てられる型式のタコ箱であって、箱胴部板が、箱胴部の隣接する２面を形成する一対のＬ型アングル板からなり、該両Ｌ型アングル板の端部同士を釘又はネジで接合して角筒状の箱胴部が組み立てられると共に、その接合側端部に、該端部同士を嵌合させて両Ｌ型アングル板を合体させる嵌合凸部と嵌合凹部が形成されている。
【００１６】
Ｌ型アングル板は、一方の接合側端部に沿って、その内側面に、前記嵌合凸部となる複数条の山形凸条が形成されると共に、その外側面に、Ｌ型アングル板の端部同士を接合する釘又はネジの下穴が形成され、他方の接合側端部に沿って、その端面に、前記嵌合凹部となる複数本のＶ字溝が形成されると共に、釘又はネジの下穴が前記下穴と対応する位置に形成されている。
【００１７】
また、Ｌ型アングル板は、その外側面に、該Ｌ型アングル板で形成された箱胴部の開口端に嵌め付ける箱前面板と箱後面板を接合する釘又はネジの下穴が形成されると共に、その内側面に、箱胴部の開口端に嵌め付ける箱前面板と箱後面板を定位置に係止する位置決め用突起が形成されており、箱前面板と箱後面板の端面には、前記下穴と対応する位置に釘又はネジの下穴が形成されている。
【００１８】
箱前面板に設けるタコの入口は、角丸長方形、円形、楕円形もしくは菱形等の四角形に形成されている。また、箱後面板は、四角形の角を落して、これを嵌め付ける箱胴部の四隅との間に水抜き孔となる空隙を生じさせる角落し形状に成形されている。
【実施例】
【００１９】
本考案の実施例に係るタコ箱は、タコの入口２を設けた箱前面板１と、延縄の枝ロープに取り付けるためのロープ孔４とタコ箱に入ったタコを箱外に追い出すための突き棒の挿入孔５とを設けた箱後面板３と、両端が開口した角筒状の箱胴部６を形成する箱胴部板となる一対のＬ型アングル板７、７とが、釘やネジを打ち込んでもひび割れ等が生じにくいポリエチレンを主材とするプラスチックで成形されている。
【００２０】
Ｌ型アングル板７は、箱胴部６の隣接する２面を形成する横板部６ａと縦板部６ｂとからなり、図１に示す一方のＬ型アングル板７の横板部６ａ側の端部８と、他方のＬ型アングル板７の縦板部６ｂ側の端部９とを釘又はネジ１０で接合して角筒状の箱胴部６が組み立てられるようになっている。
【００２１】
また、両Ｌ型アングル板７、７の接合側端部８、９には、その端部８、９同士を嵌合させて両Ｌ型アングル板７、７を合体させる嵌合凸部１１と嵌合凹部１２が形成されている。
【００２２】
嵌合凸部１１は、Ｌ型アングル板７の一方の接合側端部８に沿ってその内側面に一定の間隔で形成された複数条の山形凸条で構成され、嵌合凹部１２は、Ｌ型アングル板７の他方の接合側端部９に沿ってその端面に一定の間隔で形成された複数本のＶ字溝で構成されている。
【００２３】
また、Ｌ型アングル板７、７は、各々一方の接合側端部８に沿ってその外側面に、両Ｌ型アングル板７、７の端部８、９同士を接合する釘又はネジ１０の下穴Ｆ、Ｆ…が形成されると共に、他方の接合側端部９に沿ってその端面に、釘又はネジ１０の下穴ｆ、ｆ…が形成されている。なお、下穴Ｆ、Ｆ…と下穴ｆ、ｆ…は、夫々嵌合凸部１１、１１…と嵌合凹部１２、１２…が形成された箇所を避けて互いに対応する位置に形成されている。
【００２４】
また、Ｌ型アングル板７、７は、両Ｌ型アングル板７、７で組み立てる角筒状の箱胴部６の開口端となる横板部６ａと縦板部６ｂの前後端部に沿ってその外側面に、箱胴部６の開口端に嵌め付けた箱前面板１と箱後面板３とを箱胴部６に接合する釘又はネジ１０の下穴Ｇ、Ｇ…が形成されると共に、横板部６ａの内側面に、箱胴部６の開口端に嵌め付ける箱前面板１と箱後面板３とを定位置に係止する一対の位置決め用突起１３、１３が形成されている。
【００２５】
なお、箱前面板１と箱後面板３が嵌め付けられる箱胴部６の開口端を形成する横板部６ａの前後端部から各位置決め用突起１３、１３までの距離は、箱前面板１と箱後面板３の板厚分に相当する距離に選定されている。また、箱胴部６の開口端に嵌め付けられて位置決め用突起１３で定位置に係止される箱前面板１と箱後面板３の端面には、Ｌ型アングル板７の横板部６ａと縦板部６ｂの前後端部に沿ってその外側面に形成された下穴Ｇ、Ｇ…に打ち込まれる釘又はネジ１０の下穴ｇ、ｇ…が形成されている。なお、これら下穴Ｇ、Ｇ…及びｇ、ｇ…と、上記の下穴Ｆ、Ｆ…及びｆ、ｆ…は、いずれも円錐底の穴形状に形成されている。
【００２６】
箱前面板１は、縦２００ｍｍ、横３００ｍｍ、厚さ１０ｍｍの四角形のプラスチック板で形成され、その中央に設けられたタコの入口２は、縦１３５ｍｍ、横２００ｍｍの角丸長方形に形成されている。
【００２７】
箱後面板３は、角筒状の箱胴部６の開口端に嵌め付けられたときに箱胴部６の四隅との間に水抜き孔となる空隙１４、１４…が生ずるように、四角形の角を落した角落し形状に成形された縦２００ｍｍ、横３００ｍｍ、厚さ１０ｍｍのプラスチック板で形成され、その中央に、ロープ孔４と突き棒の挿入孔５とが上下に隣接して設けられている。なお、ロープ孔４は、先端部を該ロープ孔４に差し入れてその先端を止め結びした延縄の枝ロープが抜け出さない程度の小円形孔に形成されている。
【００２８】
Ｌ型アングル板７は、長さ４５０ｍｍ、厚さ１０ｍｍ、横板部６ａの内側面が幅３１０ｍｍ、縦板部６ｂの内側面が幅２００ｍｍに成形されており、これによって、一対のＬ型アングル板７、７で組み立てられる角筒状の箱胴部６は、全体サイズが、Ｗ３２０ｍｍ×Ｈ２２０ｍ×Ｄ４５０ｍｍ、箱前面板１と箱後面板３を嵌め付ける開口端の内法寸法が、縦２００ｍｍ、横３００ｍｍとなる。
【００２９】
以上が、本考案の実施例に係るタコ箱の構成であり、次にタコ箱の組立手順について説明する。まず、図１に示す一方のＬ型アングル板７の接合側端部８に形成されている山形凸条からなる嵌合凸部１１、１１…と、他方のＬ型アングル板７の接合側端部９に形成されているＶ字溝からなる嵌合凹部１２、１２…とを嵌合させて、双方のＬ型アングル板７、７を合体させる。これにより、図３及び図４の如く、両Ｌ型アングル板７、７によって角筒状の箱胴部６が組み立てられた状態となり、その箱胴部６の開口端に箱前面板１と箱後面板３を嵌め付ける。
【００３０】
次いで、図３及び図４において箱胴部６の上面をなすＬ型アングル板７の横板部６ａに形成されている釘・ネジの下穴Ｆ、Ｆ…及びＧ、Ｇ…に、該横板部６ａを他方のＬ型アングル板７の縦板部６ｂ、箱前面板１及び箱後面板３と接合するネジ１０、１０…を打ち込み、次に、箱胴部６を裏返して、その上面をなすＬ型アングル板７の横板部６ａに形成されている釘・ネジの下穴Ｆ、Ｆ…及びＧ、Ｇ…に、該横板部６ａを他方のＬ型アングル板７の縦板部６ｂ、箱前面板１及び箱後面板３と接合するネジ１０、１０…を打ち込み、その後、両Ｌ型アングル板７、７の縦板部６ｂに形成されている釘・ネジの下穴Ｇ、Ｇ…に、該縦板部６ｂを箱前面板１と箱後面板３と接合するネジ１０、１０…を打ち込んで、タコ箱の組立作業が完了する。
【００３１】
この組立作業において、Ｌ型アングル板７、７を合体させて角筒状の箱胴部６を組み立てた状態で、両Ｌ型アングル板７、７の接合側端部８、９にネジ１０、１０…を打ち込むことができるから、Ｌ型アングル板７がずれ動いてネジ１０の打ち損じを生ずるおそれがない。
【００３２】
また、箱前面板１と箱後面板３は、Ｌ型アングル板７、７を合体させて組み立てられた箱胴部６の開口端に嵌め付けられて、端面部が保持されると同時に、裏面側が位置決め用突起１３に係止されているから、これらをＬ型アングル板７、７に接合するネジ１０、１０…が打ち込まれる際に、ずれ動いたり、傾いたりすることが防止される。
【００３３】
したがって、タコ箱の組立作業の作業能率が著しく向上すると同時に、釘やネジの打ち損じによる組立不良の発生率が著しく低減されてタコ箱の信頼性も大幅に向上する。また、
タコ箱の構成部材は、平板とＬ型アングル板であるから、成形コストも嵩まず、緊密に重ね合わせて保管・輸送することができるから、保管コストや輸送コストも嵩まないという利点がある。
【００３４】
また、タコ箱は、これを海中から引き揚げるときに、箱前面板１に設けたタコの入口２が海面を離れた瞬間に箱内に溜まった海水が入口２から一挙に吐出されると、その海水と共にタコも吐出されるおそれがあるが、箱後面板３が、四角形の角を落した角落し形状に成形されて、図４の如く箱胴部６の四隅との間に水抜き孔となる空隙１４、１４…が形成されていれば、タコの入口２が海面を離れるまでの間に、箱内に溜まった海水の大半が海中に放出されることとなるから、その入口２が海面を離れた瞬間に海水と一緒にタコが吐出することが防止される。
【００３５】
なお、箱後面板３に設けられたロープ孔４と突き棒の挿入孔５も、海中から引き揚げられるタコ箱の箱内を大気に開放して箱内の海水をタコの入口２から放出させる水抜き孔としての機能を有するが、これらの孔４、５は、箱内に入ったタコの身体が最も触れやすい箱後面板３の中央に設けられているので、タコの身体で塞がれて水抜き孔として機能を果たさないおそれがある。また、この危惧を解消するために、箱後面板３に多数の水抜き孔を設けると、箱後面板３の強度が低下して、延縄の枝ロープに取り付けた箱後面板３が破損するおそれがある。
【００３６】
これに対し、実施例のように、箱後面板３が、四角形の角を落した角落し形状に成形されて、箱内に入ったタコの身体が触れる可能性が最も低い箱胴部６の四隅との間に水抜き孔となる空隙１４、１４…が形成される構成とすれば、水抜き孔の全てがタコの身体で塞がれて水抜き機能を果たせなくという危惧を解消することができると同時に、箱後面板３の強度低下も最小限に抑えることができる。
【００３７】
なお、実施例においては、嵌合凸部１１が複数条の山形凸条で形成され、嵌合凹部１２が複数本のＶ字溝で形成されているが、本考案の嵌合凸部と嵌合凹部の形状及び個数はこれに限るものではない。また、位置決め用突起１３は、Ｌ型アングル板７の横板部ａの内側面に形成されているが、縦板部ｂの内側面あるいは横板部ａと縦板部ｂの双方の内側面に形成してもよく、その突起の形状も図１及び図２に示す形状に限定されるものではない。
【産業上の利用可能性】
【００３８】
本考案は、ミズダコなどの底延縄漁に使用されるプラスチック製のタコ箱のコスト低減と信頼性向上に資するものである。
【符号の説明】
【００３９】
１…箱前面板
２…タコの入口
３…箱後面板
４…ロープ孔
５…突き棒の挿入孔
６…箱胴部
６ａ…横板部
６ｂ…縦板部
７…Ｌ型アングル板（箱胴部板）
８…Ｌ型アングル板の一方の接合側端部
９…Ｌ型アングル板の他方の接合側端部
１０…釘又はネジ
１１…嵌合凸部（山形凸条）
１２…嵌合凹部（Ｖ字溝）
１３…位置決め用突起
１４…水抜き孔となる空隙
Ｆ…釘又はネジの下穴
ｆ…釘又はネジの下穴
Ｇ…釘又はネジの下穴
ｇ…釘又はネジの下穴
【図１】
0003175203.tif 000003
【図２】
0003175203.tif 000004
【図３】
0003175203.tif 000005
【図４】
0003175203.tif 000006
【図５】
0003175203.tif 000007
【図６】
0003175203.tif 000008